(57)【特許請求の範囲】
【請求項１】
強電線が接続される照明用配線器具と、弱電線が接続される設備制御用配線器具と、
内側に中空部を有するとともに、該中空部内に前記照明用配線器具および設備制御用配線器具の双方を並べて取付け可能な取付け枠と、
前記取付け枠の表面側に装着する化粧プレート枠と、
前記取付け枠に取付けられた各配線器具の表面を個別に装飾する複数の化粧プレートと、
表面が開口しており、建物の壁面内に埋設されるスイッチボックスと、
前記スイッチボックスの表面に締結されるスイッチボックスカバーと、を備え、
前記取付枠は、任意に選択された照明用配線器具および設備制御用配線器具を、一定の取付けピッチで並べて取り付ける構成としてあり、
前記各化粧プレートは、配列方向の幅を、前記取付け枠の配線器具取付けピッチに対応した共通の寸法に設定してあり、
前記スイッチボックスカバーの裏面には、前記取付け枠の配線器具取付けピッチに対応した間隔をおいて複数対の隔壁支持部が対向して形成してあり、
前記複数対の隔壁支持部には、それぞれ差込み溝が形成してあり、
前記対向する隔壁支持部の差込み溝に、隔壁を差込み可能となっており、当該隔壁により前記スイッチボックスの内部空間を仕切る構成であることを特徴とする配線装置。
【発明の詳細な説明】
【０００１】
【発明の属する技術分野】
この発明は、屋内の壁面に施設されるスイッチ装置等の配線装置に関する。
【０００２】
【従来の技術】
屋内配線器具として、従来から照明器具の入／切や調光操作を行なう照明用配線器具が知られている。これらの照明用配線器具には、１００Ｖあるいは２００Ｖの電源が強電線を介して直接接続される。
【０００３】
また近年、電動の窓用ブラインドや窓用シャッタ（雨戸）が普及してきており、これらの照明器具以外の電器設備を制御するための配線器具（設備制御用配線器具）を屋内の壁面に施設する家屋も増加傾向にある。この種の設備制御用配線器具には、例えば２４Ｖ以下の制御信号が弱電線を介して制御ボックスより供給される。
このように、照明用配線器具と設備制御用配線器具とは、供給される電力の大きさが異なるため、それぞれ独自の規格で個別に製造されていた。
【０００４】
【発明が解決しようとする課題】
したがって、従来はこれら各配線器具を単一の取付け枠に並べて装着することができず、それぞれの配線器具に適合した取付け枠を用いて、個別に屋内の壁面などへ取り付けられていた。このため、配線器具の施設作業に手間と時間がかかるという問題があった。
【０００５】
この発明は、上述したごとき事情に鑑みてなされたもので、照明用配線器具および設備制御用配線器具の双方を屋内の壁面に施設する作業を容易化できる配線装置の提供を目的とする。
【０００６】
【課題を解決するための手段】
上記目的を達成するためにこの発明の配線装置は、次の構成を備えている。
▲１▼強電線が接続される照明用配線器具
▲２▼弱電線が接続される設備制御用配線器具
▲３▼内側に中空部を有するとともに、該中空部内に照明用配線器具および設備制御用配線器具の双方を並べて取付け可能な取付け枠
▲４▼取付け枠の表面側に装着する化粧プレート枠
▲５▼取付け枠に取付けられた各配線器具の表面を個別に装飾する複数の化粧プレート
【０００７】
この発明の配線装置によれば、取付け枠が照明用配線器具と設備制御用配線器具の双方を並べて取付け可能となっているので、該単一の取付け枠を室内壁面などに施設した後、その取付け枠へ各配線器具を取付け、続いて化粧プレート枠および化粧プレートにより取付け枠および各配線器具の表面を装飾する一連の作業をもって、各配線器具の施設作業を一体的に行なうことができるので、作業性が向上する。
【０００８】
なお、この発明において、照明用配線器具が接続される強電線とは、定格電圧１００Ｖ〜２００Ｖ程度の電源を供給する電線をいい、一方、設備制御用配線器具が接続される弱電線とは、定格電圧２４Ｖ以下の信号が供給される信号ケーブルをいう。
【０００９】
また、この発明の配線装置は、取付け枠を、任意に選択された前記照明用配線器具および設備制御用配線器具が一定ピッチで取付け可能な構成とし、かつ各化粧プレートの配列方向の幅を、取付け枠の配線器具取付けピッチに対応したほぼ共通の寸法に設定している。
これにより、各配線器具の配列を任意に設定できるようになり、操作対象となる電器器具の種類やユーザの好みに応じた配線器具の配列を実現することができる。
【００１０】
この発明の配線装置は、上記のように複数の配線器具を取付け枠に装着するので全体の寸法が大きくなることは否めない。取付け枠には、壁面内に埋設したスイッチボックスへの締結部が設けられるが、この締結部を取付け枠本体の外方へ突き出して形成すると、該締結部を隠すためにさらに化粧プレート枠を外側へ延ばさなければならない。
【００１１】
そこで、この発明は、スイッチボックスへの締結部を取付け枠本体の中空部側に突き出して設けるとともに、この締結部と干渉するおそれのある配線器具の周面に、締結部の突き出しを回避する凹部を形成した構成とすることが好ましい。これにより、化粧プレート枠を小形化することができ、配線装置全体の小形化を実現できる。
【００１２】
【発明の実施の形態】
以下、この発明の実施の形態について図面を参照して詳細に説明する。
図１はこの発明の実施形態に係る配線装置の外観を示す斜視図、図２は同配線装置の正面図、図３は背面図である。
これらの図面に示すように、本実施形態に係る配線装置は、照明用配線器具（１０，２０）および設備制御用配線器具（３０，４０，５０）を取付け枠１００に取付けるとともに、この取付け枠１００の表面に化粧プレート枠２００を装着し、さらに各配線器具の表面をそれぞれ化粧プレート２１０，２２０，２３０，２４０，２５０により個別に装飾した構成となっている。
【００１３】
図４，図５は、それぞれ取付け枠１００に取り付けられる照明用配線器具の構成例を示しており、また図６〜図９は、それぞれ取付け枠１００に取り付けられる設備用配線器具の構成例を示している。
図４に示す照明用配線器具は、室内照明器具をＯＮ／ＯＦＦするための照明スイッチ１０であり、照明スイッチ本体１１のボス部に照明操作ボタン１２が突き出して装着されている。照明スイッチ本体１１の背面には、図３に示すように、外部電線を接続するための接続端子孔１３が穿設してあり、この接続端子孔１３に挿入した外部電線が、照明スイッチ本体１１の内部に設けた端子部（図示せず）に接続される。
【００１４】
ここで、照明用配線器具としての照明スイッチ１０は、１００Ｖあるいは２００Ｖの電源を供給する強電線が端子部に接続される。
照明スイッチ１０は、ボス部に照明操作ボタン１２のみが設けられているだけなのでボス部の面積が小さくて済み、このため、照明スイッチ本体１１は幅狭でコンパクトな外形となっている。
【００１５】
図５に示す照明用配線器具は、ダウンライト等の調光を必要とする室内照明用の調光器２０であり、調光器本体２１のボス部に調光つまみ２２が突き出して装着されている。調光器本体２１の背面には、図３に示すように、外部電線を接続するための接続端子孔２３が穿設してあり、この接続端子孔２３に挿入した外部電線が、調光器本体２１の内部に設けた端子部（図示せず）に接続される。
この調光器本体２１も照明用配線器具として区分されるため、１００Ｖあるいは２００Ｖの電源を供給する強電線が端子部に接続される。この点は、図４に示した照明スイッチと同じである。
【００１６】
しかし、調光器本体２１内には、調光用のボリュームなど大形の部品が内蔵されるため、同本体２１の外形は照明スイッチ１０と比べ幅が広く大形となっている。なお、この調光器本体２１は、後述する設備制御用配線器具の本体と外周面の寸法形状を共通にしてある。
【００１７】
図６に示す設備制御用配線器具は、窓の外側に施設された電動シャッタ（雨戸）を開閉するためのシャッタスイッチ３０であり、シャッタスイッチ本体３１のボス部に、キースイッチ部３２と緊急操作スイッチ部３３がそれぞれ突き出して設けられている。
キースイッチ部３２は、ユーザが管理する操作キー（鍵）を差し込み、所定の方向に回動させることによって、電動シャッタを開閉する機能を有している。一方、緊急操作スイッチ部３３は、押圧操作により電動シャッタの開閉動作を緊急停止する機能を有している。これらキースイッチ部３２や緊急操作スイッチ部３３の構造は、従来のシャッタスイッチと同様で、既に周知であるためここでの詳細な説明は省略する。
【００１８】
シャッタスイッチ本体３１の背面には、図３に示すように、接続コネクタ３４，３５が設けてある。この接続コネクタ３４には、図示しない電動シャッタの制御ボックスから導かれてきた外部電線が接続される。制御ボックスからはこの外部電線を介して制御信号が送られてくるが、該制御信号は、例えば２４Ｖ以下の小さな電圧の信号である。したがって、外部電線としては弱電線が用いられる。
シャッタスイッチ本体３１は、キースイッチ部３２や緊急操作スイッチ部３３を備えるため、照明スイッチ１０と比べ幅が広く大形となっている。
【００１９】
また、図６にはシャッタスイッチ３０の表面を装飾するための化粧プレート２３０が示してある。この化粧プレート２３０は、枠体２３１と開閉プレート２３２からなり、枠体２３１に対して開閉プレート２３２が開閉自在となっている。枠体２３１は、後述するように化粧プレート枠２００に装着される。開閉プレート２３２を閉じると、シャッタスイッチ本体３１のボス部に設けられたキースイッチ部３２および緊急操作スイッチ部３３が、この開閉プレート２３２によって被覆され、これにより配線装置の外観が図１に示すごとくすっきりとしたものとなる。キースイッチ部３２または緊急操作スイッチ部３３を操作する際は、開閉プレート２３２を開き、各スイッチ部３２，３３を露出させればよい。
【００２０】
図７に示す設備制御用配線器具は、窓の内側に施設された電動ブラインドを開閉するためのブラインドスイッチ４０である。ブラインドスイッチ本体４１のボス部には、昇降ボタン４２，４３および停止ボタン４４が突き出して設けられ、それらのボタン操作によって電動ブラインドを昇降する機能を有している。
ブラインドスイッチ本体４１の背面には、図３に示すように、接続コネクタ４５が設けてある。この接続コネクタ４５には、図示しない電動ブラインドの制御ボックスから導かれてきた外部電線が接続される。制御ボックスからはこの外部電線を介して制御信号が送られてくるが、該制御信号は、例えば２４Ｖ以下の小さな電圧の信号である。したがって、外部電線としては弱電線が用いられる。
【００２１】
ブラインドスイッチ本体４１は、ボス部に昇降ボタン４２，４３や停止ボタン４４といった複数の操作ボタンを配設する必要から、照明スイッチ１０と比べ幅が広く大形に形成してある。
【００２２】
図８に示す設備制御用配線器具は、図７に示した設備制御用配線器具と同じく、窓の内側に施設された電動ブラインドを開閉するためのブラインドスイッチ５０である。図８に示すブラインドスイッチ５０では、ブラインドスイッチ本体４１のボス部に、電動ブラインドのスラット（羽根板）を回転させるためのスラット調節ボタン５１，５２が追加されている。したがって、ブラインドスイッチ本体４１の背面に設けた接続コネクタ４５（図３参照）へは、弱電線を介して制御ボックスからスラットの制御信号も送られてくる。それ以外の構成は、図７に示したブラインドスイッチ４０と同様である。
【００２３】
図９に示す設備制御用配線器具は、図７，図８に示した設備制御用配線器具と同じく、窓の内側に施設された電動ブラインドを開閉するためのブラインドスイッチ６０である。図９に示すブラインドスイッチ６０では、ブラインドスイッチ本体４１のボス部に、昇降ボタン４２，４３の操作に連動して発光する表示部６１，６２が追加されている。表示部６１，６２には、発光ダイオードやネオン管が用いられている。それ以外の構成は、図７に示したブラインドスイッチ４０と同様である。
【００２４】
図６〜図９に示した各設備制御用配線器具は、後述する取付け枠１００に取付けられる本体（３１，４１）の外周面を、共通の寸法形状に形成してある。すなわち、各図に示すように、本体の幅Ｄおよび長さＬをそれぞれ共通の寸法とし、かつ幅方向の周面には凹部１が形成してある。この凹部１の機能については後述する。
【００２５】
図４に示した照明用配線器具（照明スイッチ１０）についても、本体の長さＬは、設備制御用配線器具（３０，４０，５０，６０）と共通の寸法に設定してある。
また、図４〜図９に示すように、各配線器具には長さ方向の周面に係止爪２が形成してある。
【００２６】
図１０は取付け枠１００および化粧プレート枠２００の構成を説明するための分解斜視図である。
取付け枠１００は、ロ字形の外形をしており、内側に中空部１００ａが形成されている。この中空部１００の長さＬ′は、各配線器具が適正に配置できる寸法、すなわち既述した配線器具の長さＬより僅かに長い寸法に設定してある（図３参照）。
【００２７】
取付け枠１００の内周面には、長手方向の複数箇所に配線器具の係合部１０１が形成してある。これらの係合部１０１に、既述した配線器具の係止爪２を係合させることで、配線器具が取付け枠１００へ取付けられる。
取付け枠１００には、図３に示すように、中空部１００ａ内に複数の配線器具が並べて取付けられる。この取付けピッチｐは一定としてある。これにより、例えば図４，図５に示した照明用配線器具（１０，２０）および図６〜図９に示した設備制御用配線器具（３０，４０，５０，６０）をそれぞれ任意に選択し、任意の配列で取付けることが可能となっている。
【００２８】
図１０において、３００はスイッチボックスである。このスイッチボックス３００は建物の壁面内に埋設され、その表面にはスイッチボックスカバー３０１がねじ等の締結具によって締結される。
取付け枠１００は、スイッチボックスカバー３０１に、図示しないねじ等の締結具を用いて締結される。このため、取付け枠１００には二箇所に締結部１０２，１０２が形成してある。ここで、締結部１０２，１０２は、中空部１００ａ側に突き出して形成してある。
【００２９】
このように、締結部１０２，１０２を中空部１００ａ側に突き出して形成したことに関連して、大形の配線器具、具体的には図６〜図９に示した設備制御用配線器具（３０，４０，５０，６０）および図５に示した照明用配線器具（２０）には、既述したように幅方向の周面に凹部１が形成してある。
上記大形の配線器具が、取付け枠１００の両端に配置されたときは、締結部１０２，１０２が凹部１に入り込む（図３参照）。その結果、配線器具と締結部１０２，１０２との干渉を回避することができる。
【００３０】
図１０において、４００は隔壁である。隔壁４００は外部から１つのスイッチボックス３００内に引き込まれた強電線と弱電電線とが干渉しないよう、スイッチボックス３００の内部空間を仕切る機能を有している。
スイッチボックスカバー３０１の裏面には、この隔壁４００を支持する複数対の隔壁支持部３０２が延出している。これら隔壁支持部３０２にはそれぞれ差込み溝３０３が形成してあり、対となった隔壁支持部３０２の差込み溝３０３は互いに対向している。
複数対の隔壁支持部３０２は、既述した配線器具の取付けピッチｐに対応した一定の間隔をおいて、配線器具の配列方向に形成してある。
隔壁４００の装着に際しては、取付け枠１００に取付けられる設備制御用配線器具と照明用配線器具との境界に位置する隔壁支持部３０２を選択する。そして、該隔壁支持部３０２の差込み溝に隔壁３０３を差し込むことにより、照明用配線器具に接続される強電線と設備制御用配線器具に接続される弱電電線とを仕切り、その干渉を防止することができる。
このように、隔壁支持部３０２を配線器具の取付けピッチｐに対応した一定の間隔をおいて、配線器具の配列方向に形成することにより、配線器具の任意の配列に対して、隔壁４００の取付け位置を容易に調整することができる。
【００３１】
化粧プレート枠２００は、取付け枠１００より一周り幅の広いロ字形に形成してあり、取付け枠１００の表面側に装着される。この化粧プレート枠２００は、取付け枠１００を、外部から視認できなくする装飾機能を有している。この実施形態では、取付け枠１００の締結部１０２，１０２を中空部１００ａ側に突き出して形成したので、同締結部１０２，１０２を外方へ突き出した場合に比べ、化粧プレート枠２００の外形寸法が小さくて済む。すなわち、締結部を外方へ突き出した場合には、その締結部の表面を被覆するために、化粧プレート枠２００の外方へ延ばす必要がある。この実施形態の構成によれば、そのような必要がないため小形となる。
【００３２】
図１，図２に示すように、取付け枠１００に取付けられた各配線器具の表面側には、それぞれ化粧プレート２１０，２２０，２３０，２４０，２５０が装着される。これらの化粧プレート２１０等は、装飾対象となる配線器具に対応して個別に用意してある。
【００３３】
すなわち、図４に示した照明スイッチ１０に対しては、照明操作ボタン１２が突出する部位に開口を形成した化粧プレート２１０が、図５に示した調光器２０に対しては、調光つまみ２２が突出する部位に開口を形成した化粧プレート２２０が、図６に示したシャッタスイッチ３０に対しては、既述したような枠体２３１と開閉プレート２３２からなる化粧プレート２３０が（図６参照）、図７に示したブラインドスイッチ４０に対しては、昇降ボタン４２，４３および停止ボタン４４が突出する部位に開口を形成した化粧プレート２４０が、図８に示すブラインドスイッチ５０に対しては、昇降ボタン４２，４３，停止ボタン４４およびスラット調節ボタン５１，５２が突出する部位に開口を形成した化粧プレート２５０がそれぞれ個別に用意してある。
【００３４】
また、図９に示したブラインドスイッチ６０は、図１では取付け枠１００に取り付けていないが、該ブラインドスイッチ６０に対しても、昇降ボタン４２，４３および停止ボタン４４が突出する部位に開口を形成するとともに、表示部６１，６２と対向する部位に光透過窓が装着された化粧プレートが用意してある。
これらの化粧プレート２１０等は、化粧プレート枠２００の内周に形成した係合部２０１に係合して取り付けられ、各配線器具のボス部を被覆する。
【００３５】
ここで、各化粧プレート２１０等は、配列方向の幅Ｄａを、配線器具の取付けピッチｐに対応したほぼ共通の寸法に設定してある。これにより、各化粧プレート２１０等も配線器具と同様、任意の配列で取付け枠１００に取付けることが可能となっている。
【００３６】
上述した構成の配線装置は、次の手順で屋内の壁面に施設することができる。まず、スイッチボックスカバー３０１に対し、設備制御用配線器具と照明用配線器具との配列を考慮して、その境界となる位置の差込み溝３０３に隔壁４００を差し込み、該スイッチボックスカバー３０１をスイッチボックス３００の表面に締結する。次に、取付け枠１００をスイッチボックスカバー３０１に締結する。続いて、任意に選択した照明用配線器具および設備制御用配線器具に接続する電線をスイッチボックスから引き出し、各配線器具に接続する。その後、各配線器具を取付け枠１００に任意の配列で取付けるとともに、取付け枠１００に化粧プレート枠２００を装着し、かつ化粧プレート枠２００に化粧プレート２１０等を装着して施設作業が終了する。
【００３７】
なお、この発明は上述した実施形態に限定されるものではない。
例えば、取付け枠への配線器具の取付け個数は、任意に設定することができる。また、取付け枠に取り付ける配線器具は、図４〜図９に示した各配線器具以外にも適宜必要に応じて設計することができる。この場合、化粧プレートも配線器具の形態に応じて用意しておく。
【００３８】
【発明の効果】
以上説明したように、この発明の配線装置によれば、照明用配線器具および設備制御用配線器具の双方を単一の取付け枠に取付けるので、これら種類の異なる配線器具を個別に施設する必要がなく、施設作業の容易化を実現することができる。
【図面の簡単な説明】
【図１】この発明の実施形態に係る配線装置の外観を示す斜視図である。
【図２】同配線装置の正面図である。
【図３】同じく背面図である。
【図４】照明用配線器具としての照明スイッチを示す斜視図である。
【図５】照明用配線器具としての調光器を示す斜視図である。
【図６】設備用配線器具としてのシャッタスイッチを示す斜視図である。
【図７】設備用配線器具としてのブラインドスイッチを示す斜視図である。
【図８】設備用配線器具としての別のブラインドスイッチを示す斜視図である。
【図９】設備用配線器具としての更に別のブラインドスイッチを示す斜視図である。
【図１０】取付け枠および化粧プレート枠の構成を説明するための分解斜視図である。
【符号の説明】
１：凹部                  ２：係止爪
１０：照明スイッチ        ２０：調光器
３０：シャッタスイッチ
４０，５０，６０：ブラインドスイッチ
１００：取付け枠        １００ａ：中空部
１０２：締結部            ２００：化粧プレート枠
２１０，２２０，２３０，２４０，２５０：
化粧プレート
３００：スイッチボックス
３０１：スイッチボックスカバー
３０２：隔壁支持部        ３０３：差込み溝
４００：隔壁
【図１】
0004161009.tif 000002
【図２】
0004161009.tif 000003
【図３】
0004161009.tif 000004
【図４】
0004161009.tif 000005
【図５】
0004161009.tif 000006
【図６】
0004161009.tif 000007
【図７】
0004161009.tif 000008
【図８】
0004161009.tif 000009
【図９】
0004161009.tif 000010
【図１０】
0004161009.tif 000011